(57)【要約】【課題】キャップ４あるいは軸筒１に一体に形成される筆記具のクリップ２を、飾り駒３を設けることによって外観を向上させる。更に、飾り駒３を簡単に取り付けることができるとともに、外れる恐れがない筆記具のクリップ２に適用できる。【解決手段】キャップ４あるいは軸筒１に一体にクリップ２を形成し、このクリップ２の基部２Ａに後端から両側の前方に伸びた凹溝２Ｂを形成する。更に、クリップ２の基部２Ａに後端から上面の前方に伸びた上部凹溝２Ｄを形成する。また、飾り駒３に後端から両側前方に伸びた側部片３Ｂと後端から上面前方に伸びた上部片３Ｃを形成する。この飾り駒３の側部片３Ｂをクリップ２基部２Ａの凹溝２Ｂに嵌合するとともに上部片３Ｃをクリップ２基部２Ａの上部凹溝２Ｄに嵌合する。尚かつ、飾り駒３の側部片３Ｂがクリップ２基部２Ａの前端より後方に位置させて構成する。【選択図】図１
2011224922.tif 000002
【特許請求の範囲】
【請求項１】
キャップあるいは軸筒に一体に形成された筆記具のクリップであって、クリップの基部に後端から両側の前方に伸びた凹溝を形成するとともに後端から上面の前方に伸びた上部凹溝を形成し、かつ、飾り駒に後端から両側前方に伸びた側部片と後端から上面前方に伸びた上部片を形成し、飾り駒の側部片をクリップ基部の凹溝に嵌合するとともに上部片をクリップ基部の上部凹溝に嵌合し、飾り駒の側部片がクリップ基部の前端より後方に位置することを特徴とする筆記具のクリップ。
【請求項２】
クリップ基部の凹溝に係合部を形成するとともに飾り駒の側部片に係合部を形成し、飾り駒の側部片に形成した係合部をクリップ基部の凹溝に形成した係合部に係止させて構成したことを特徴とする請求項１記載の筆記具のクリップ。
【請求項３】
飾り駒の上部片及び側部片がクリップの上部凹溝及び凹溝の内側に配置されて構成したことを特徴とする請求項１又は２記載の筆記具のクリップ。
【発明の詳細な説明】
【技術分野】
【０００１】
本発明は、筆記具の軸筒あるいは筆記具のキャップに一体に構成されたクリップに飾り駒を取り付けた筆記具のクリップに関する。
【背景技術】
【０００２】
従来、キャップあるいは軸筒とクリップを一体に形成した筆記具は、キャップや軸筒とクリップが同色となってしまい、外観を非常に損なってしまうものであった。そこで外観を向上させるために、透明材でキャップとクリップ片を一体成形し、クリップ片の起立部に使用するインキの色と同一色とした彩色部材を取り付けた筆記具のキャップが知られている。（特許文献１参照）
【０００３】
しかしながら、上記筆記具のキャップは、彩色部材４の後部段部４ｂがクリップ片起立部３ｂより衣服を挾持する側に突出しているため、キャップ１を衣服などへ挾着する際、後部段部４ｂが衣服に当接してしまい彩色部材４が外れてしまう恐れがあった。
【先行技術文献】
【特許文献】
【０００４】
【特許文献１】実公平４−２５３５７号公報
【発明の概要】
【発明が解決しようとする課題】
【０００５】
解決しようとする問題点は、筆記具を衣服のポケット等に挿入した時に、クリップの飾り駒（彩色部材）が衣服に当接して外れてしまう点である。
【課題を解決するための手段】
【０００６】
本発明は、キャップあるいは軸筒に一体に形成された筆記具のクリップであって、クリップの基部に後端から両側の前方に伸びた凹溝を形成するとともに後端から上面の前方に伸びた上部凹溝を形成し、かつ、飾り駒に後端から両側前方に伸びた側部片と後端から上面前方に伸びた上部片を形成し、飾り駒の側部片をクリップ基部の凹溝に嵌合するとともに上部片をクリップ基部の上部凹溝に嵌合し、飾り駒の側部片がクリップ基部の前端より後方に位置することを第１の特徴とする。
【０００７】
また、クリップ基部の凹溝に係合部を形成するとともに飾り駒の側部片に係合部を形成し、飾り駒の側部片に形成した係合部をクリップ基部の凹溝に形成した係合部に係止させて構成したことを第２の特徴とする。
【０００８】
更に、飾り駒の上部片及び側部片がクリップの上部凹溝及び凹溝の内側に配置されて構成したことを第３の特徴とする。
【発明の効果】
【０００９】
本発明は、クリップをキャップあるいは軸筒に一体に形成した筆記具のクリップにおいて、外観を向上させるとともに、クリップに飾り駒が外れる恐れなく簡単に取り付けられる利点が得られるものである。
【図面の簡単な説明】
【００１０】
【図１】図１は、本発明の実施例１の筆記具のクリップを示す断面図である。（実施例１）
【図２】図２は、図１の筆記具のクリップを示す平面図である。（実施例１）
【図３】図３は、クリップ基部の凹溝と飾り駒の側部片の嵌合状態を示す主要部拡大部分断面図である。（実施例１）
【図４】図４は、本発明の実施例１の飾り駒を示す拡大正面図である。（実施例１）
【図５】図５は、図４の飾り駒を示す拡大平面図である。（実施例１）
【図６】図６は、軸筒に一体に形成されたクリップを示す正面図である。（実施例１）
【図７】図７は、図６の軸筒に一体に形成されたクリップを示す拡大右側面図である。（実施例１）
【図８】図８は、本発明の実施例２の筆記具のクリップを示す断面図である。（実施例２）
【発明を実施するための形態】
【００１１】
キャップあるいは軸筒に一体に形成されるクリップに、外観を向上させる為の飾り駒を外れる恐れなく取り付ける筆記具のクリップを実現した。
【実施例１】
【００１２】
以下、図１、図２、図３、図４、図５、図６及び図７に基づいて本発明における実施例１の筆記具のクリップを説明する。また、図１の左側を前方とし、右側を後方とする。先ず、合成樹脂製の軸筒１にクリップ２を一体成形して構成する。このクリップ２の基部２Ａに、後端から基部２Ａの両側に沿って前方に伸びた凹溝２Ｂを形成する。この凹溝２Ｂのそれぞれに更に凹んだ係合凹部２Ｃが形成される。更に、クリップ２の基部２Ａに後端から上面に沿って前方に伸びた上部凹溝２Ｄを形成する。
【００１３】
また、飾り駒３は、後端部３Ａから両側前方に伸びた側部片３Ｂと、後端部３Ａから上面前方に伸びた上部片３Ｃにより構成される。更に、側部片３Ｂのそれぞれの内側には内方に突出する係合突部３Ｄが形成されるとともに、その前方に凹溝２Ｂと接触する前突部３Ｅが形成される。
【００１４】
この飾り駒３の側部片３Ｂを前記クリップ２の凹溝２Ｂに後方より挿入し、側部片３Ｂの前突部３Ｅをクリップ２の凹溝２Ｂに接触させるとともに側部片３Ｂの係合突部３Ｄをクリップ２の凹溝２Ｂに形成された係合凹部２Ｃに係止させる。また、飾り駒３の上部片３Ｃをクリップ２の上部凹溝２Ｄに嵌合させ、飾り駒３をクリップ２に取り付ける。この時、飾り駒３の上部片３Ｃはクリップ２の上部凹溝２Ｄ内に嵌合されるとともに飾り駒３の側部片３Ｂがクリップ２の凹溝２Ｂ内に嵌合され、飾り駒３の側部片３Ｂと上部片３Ｃはクリップ２の上部凹溝２Ｄ及び凹溝２Ｂより突出しない。また、飾り駒３の側部片３Ｂの前端はクリップ２の基部２Ａの前端より後方に位置する。したがって、クリップ２で衣服を挾持した時、飾り駒３は衣服に接触することはなく、飾り駒３が外れる恐れは全くない。しかも、飾り駒３の上部片３Ｃ、側部片３Ｂ及び後端部３Ａは外から目視可能となっているので、軸筒１及びクリップ２と異なる色で飾り駒３を構成すれば、十分に装飾的効果が得られる。
【００１５】
上記軸筒１及びクリップ２は、ノック式シャープペンシルあるいはノック式ボールペン等種々の筆記具に用いることができる。
【実施例２】
【００１６】
以下、図８に基づいて本発明における実施例２の筆記具のクリップを説明する。尚、図１と同一部材は同一の符号を付してその説明を省略する。合成樹脂製のキャップ４にクリップ２を一体成形して構成する。このクリップ２の基部２Ａに実施例１と同じ飾り駒３を取り付ける。このキャップ４及びクリップ２は、サインペンのペン先を覆うキャップとして用いられたり、ボールペンのペン先、万年筆のペン先あるいはシャープペンシルの筆記先端部を覆うキャップとして用いられる。
【００１７】
尚、本発明は上記実施例に限定されるものではなく、キャップを複数の部材を固着して一体化し構成することも可能である。また、クリップを複数の部材を固着して一体化し構成しても良い。
【産業上の利用可能性】
【００１８】
キャップあるいは軸筒に一体に形成されるクリップに飾り駒を取り付けて外観を向上させ、しかも、飾り駒を簡単に取り付けることが出来るとともに外れる恐れがない筆記具のクリップに適用できる。
【符号の説明】
【００１９】
１    軸筒
２    クリップ
２Ａ    クリップ２の基部
２Ｂ    クリップ２の凹溝
２Ｄ    クリップ２の上部凹溝
３    飾り駒
３Ｂ    飾り駒３の側部片
３Ｃ    飾り駒３の上部片
４    キャップ
【図１】
2011224922.tif 000003
【図２】
2011224922.tif 000004
【図３】
2011224922.tif 000005
【図４】
2011224922.tif 000006
【図５】
2011224922.tif 000007
【図６】
2011224922.tif 000008
【図７】
2011224922.tif 000009
【図８】
2011224922.tif 000010